(57)【特許請求の範囲】
【請求項１】
周方向に等間隔をおいて複数個の磁極片部毎に設けられた各スロット毎に、外周側に薄肉ジョイント部を残して径方向に延在する切り込みによって略扇状に分割され、展開状態で各磁極片部の両側に背中合わせで存在するコの字形状のスロットに巻線を通して前記磁極片部の周りに巻線を巻かれる分割形連結鉄心による円環状の回転電機用固定子鉄心のためのインシュレータにおいて、
前記磁極片部の一方の端部より当該磁極片部を跨ぐようにして磁極片部の外周囲に嵌合して当該磁極片部の両側のスロットの壁面を電気的に絶縁被覆するコの字形状をなし、前記スロットの径方向外側の壁面を被覆する外側片部の先端に、前記分割形連結鉄心の分割部の前記スロット側の端部に形成された段差部に係合するようスロットの径方向外側に一段高くなった段差片部と、この段差片部先端からスロットの径方向内側に折り曲がるくびれ先端片部とを有していることを特徴とする回転電機用固定子鉄心のためのインシュレータ。
【請求項２】
周方向に等間隔をおいて複数個の磁極片部毎に設けられた各スロット毎に、外周側に薄肉ジョイント部を残して径方向に延在する切り込みによって略扇状に分割され、展開状態で各磁極片部の両側に背中合わせで存在する略コの字形状のスロットに巻線を通して前記磁極片部の周りに巻線を巻かれる分割形連結鉄心による円環状の回転電機用固定子鉄心のためのインシュレータにおいて、
前記磁極片部の一方の端部より当該磁極片部を跨ぐようにして磁極片部の外周囲に嵌合し、当該磁極片部の両側のスロットの壁面を電気的に絶縁被覆するコの字形状をなすインシュレータ本体と、
展開状態ではＶ形をなし、その両端をそれぞれ隣接する磁極片部に装着された前記インシュレータ本体の外側片部の先端と鉄心との間に挟み込まれることにより係止され、分割形連結鉄心が円環状に閉じられることによって前記スロットの径方向内側へ、隣接する磁極片部の巻線間の相間絶縁が行われる程度延在する相間絶縁シートと、
を有していることを特徴とする回転電機用固定子鉄心のためのインシュレータ。
【請求項３】
周方向に等間隔をおいて複数個の磁極片部毎に設けられた各スロット毎に、外周側に薄肉ジョイント部を残して径方向に延在する切り込みによって略扇状に分割され、展開状態で各磁極片部の両側に背中合わせで存在する略コの字形状のスロットに巻線を通して前記磁極片部の周りに巻線を巻かれる分割形連結鉄心による円環状の回転電機用固定子鉄心のためのインシュレータにおいて、
前記磁極片部の一方の端部より当該磁極片部を跨ぐようにして磁極片部の外周囲に嵌合し、当該磁極片部の両側のスロットの壁面を電気的に絶縁被覆するコの字形状をなすインシュレータ本体と、
前記インシュレータ本体が前記スロットの径方向外側の壁面を被覆する外側片部の先端と鉄心との間に一端を挟み込まれることにより係止され、他端を前記インシュレータ本体が前記スロットの径方向内側の壁面を被覆する内側片部の先端と鉄心との間に他端を挟み込まれることにより係止され、隣接する磁極片部の巻線間の相間絶縁を行う相間絶縁シートと、
を有していることを特徴とする回転電機用固定子鉄心のためのインシュレータ。
【請求項４】
周方向に等間隔をおいて複数個の磁極片部毎に設けられた各スロット毎に、外周側に薄肉ジョイント部を残して径方向に延在する切り込みによって略扇状に分割され、展開状態で各磁極片部の両側に背中合わせで存在する略コの字形状のスロットに巻線を通して前記磁極片部の周りに巻線を巻かれる分割形連結鉄心による円環状の回転電機用固定子鉄心のためのインシュレータにおいて、
前記磁極片部の一方の端部より当該磁極片部を跨ぐようにして磁極片部の外周囲に嵌合して当該磁極片部の両側のスロットの壁面を電気的に絶縁被覆するコの字形状をなし、隣接する磁極片部のスロットの径方向外側の壁面をそれぞれ被覆する両側の外側片部の先端のそれぞれに、展開状態では両側の外側片部からそれぞれほぼ一直線状に延在し、その基端部がスロットの径方向内側へ折曲可能であり、かつその先端部が隣接する磁極片部のもの同士で折曲可能に連結されている相間絶縁片が設けられ、
かつ前記相間絶縁片は、分割形連結鉄心が円環状に閉じられることによって前記スロットの径方向内側へ延在することを特徴とする回転電機用固定子鉄心のためのインシュレータ。
【請求項５】
前記相間絶縁片は前記外側片部より薄肉であることを特徴とする請求項４に記載の回転電機用固定子鉄心のためのインシュレータ。
【請求項６】
周方向に等間隔をおいて複数個の磁極片部毎に設けられた各スロット毎に、外周側に薄肉ジョイント部を残して径方向に延在する切り込みによって略扇状に分割され、展開状態で各磁極片部の両側に背中合わせで存在する略コの字形状のスロットに巻線を通して前記磁極片部の周りに巻線を巻かれる分割形連結鉄心による円環状の回転電機用固定子鉄心のためのインシュレータにおいて、
前記磁極片部の一方の端部より当該磁極片部を跨ぐようにして磁極片部の外周囲に嵌合して当該磁極片部の両側のスロットの壁面を電気的に絶縁被覆するコの字形状をなし、隣接する磁極片部のスロットのうちの一方のスロットの径方向外側の壁面を被覆する外側片部の先端にのみ、隣接する磁極片部の巻線間の相間絶縁が行われる程度延在する相間絶縁片が外側片部の先端に対しスロットの径方向内側へ折曲可能に設けられていることを特徴とする回転電機用固定子鉄心のためのインシュレータ。
【発明の詳細な説明】
【０００１】
【発明の属する技術分野】
この発明は、各種産業機器に使用される誘導電動機などの回転電機の固定子鉄心のためのインシュレータに関し、特に分割形連結鉄心により構成された円環状の回転電機用固定子鉄心のためのインシュレータに関するものである。
【０００２】
【従来の技術】
近年、誘導電動機などの回転電機の小型高性能化のために、固定子の巻線の高密度化の必要性が高まっていることに鑑み、分割形連結鉄心のように固定子鉄心を分割し、固定子鉄心のスロット間の磁極片部に巻線を直巻で整列状に巻込むことで、高密度な巻線を得るようにした構造のものが多く用いられている。
【０００３】
図２４〜図２７は分割形連結鉄心を使用した固定子の従来例を示している。分割形連結鉄心１は、周方向（円環状の閉じ状態で）に等間隔をおいて複数個の磁極片部５毎に設けられた複数個の各スロット２毎に、外周側に薄肉ジョイント部３を残して径方向に延在する切り込み４により略扇状に分割され、平面状などの展開状態で、背中合わせに隣接する二つのコの字形状のスロット２を通して磁極片部５の外周囲に巻線６を巻線ノズルＮによって巻かれ、円環状に閉じられて両端を溶接等で接続されることで、円環状の回転電機用固定子鉄心をなす。
【０００４】
スロット２には、鉄心１と巻線６との電気絶縁のために、電気絶縁性プラスチックによるボビンのようなインシュレータ７が設けられ、このインシュレータ７の外側に巻線６が巻かれる。
【０００５】
インシュレータ７は、磁極片部５の一方の端部より磁極片部５を跨ぐようにして磁極片部５の外周囲に嵌合し、磁極片部５の両側に背中合わせにある二つのスロット２の壁面をそれぞれ電気的に絶縁被覆するコの字形状をなしている。インシュレータ７がスロット２の径方向外側の壁面２ａを被覆する外側片部７ａは、鉄心１を円環状に閉じた時に、この外側片部７ａの先端が鉄心１の分割面１ａ（コアバック当接面間）に噛み込まないよう、壁面２ａの寸法より寸法ｘだけ短くなっている。
【０００６】
【発明が解決しようとする課題】
上述のように、従来のインシュレータ７では、外側片部７ａは壁面２ａの寸法より寸法ｘだけ短く、このことにより壁面２ａの分割面１ａの側が絶縁被覆されないため、また鉄心１と巻線６との間の絶縁距離Ｌを確保するため、図示されているように、分割面１ａ近くでは巻線６の巻数を少なくする必要が生じ、スロット２内に大きい無駄空間部Ｓが生じることになる。
【０００７】
また、上述のような従来のインシュレータ７では、隣接する巻線６の相間絶縁を行っていないため、相間距離の十分な確保の必要性からも巻数を減らさざるを得なかった。
【０００８】
以上の理由から、スロット２の有効断面積をフル活用できず、結果的に鉄心１の積幅を大きくする必要が生じ、回転電機の小型化設計を阻害すると云う問題点を生じることになる。
【０００９】
この発明は、上述のような問題点を解決するためになされたもので、鉄心と巻線との間の絶縁を的確に行うことで、スロットにおける巻線の占積率を向上させ、鉄心の小型化により回転電機の小型化を図ることができ、さらには隣接する巻線間における相間絶縁も適切に行い、このことによってもスロットにおける巻線の占積率を向上させ、鉄心の小型化により回転電機の小型化を、さらに進めることができる回転電機用固定子鉄心のためのインシュレータを得ることを目的としている。
【００１０】
【課題を解決するための手段】
上述の目的を達成するために、この発明による回転電機用固定子鉄心のためのインシュレータは、周方向に等間隔をおいて複数個の磁極片部毎に設けられた各スロット毎に、外周側に薄肉ジョイント部を残して径方向に延在する切り込みによって略扇状に分割され、展開状態で各磁極片部の両側に背中合わせで存在するコの字形状のスロットに巻線を通して前記磁極片部の周りに巻線を巻かれる分割形連結鉄心による円環状の回転電機用固定子鉄心のためのインシュレータにおいて、前記磁極片部の一方の端部より当該磁極片部を跨ぐようにして磁極片部の外周囲に嵌合して当該磁極片部の両側のスロットの壁面を電気的に絶縁被覆するコの字形状をなし、前記スロットの径方向外側の壁面を被覆する外側片部の先端に、前記分割形連結鉄心の分割部の前記スロット側の端部に形成された段差部に係合するようスロットの径方向外側に一段高くなった段差片部と、この段差片部先端からスロットの径方向内側に折り曲がるくびれ先端片部とを有しているものである。
【００２２】
つぎの発明による回転電機用固定子鉄心のためのインシュレータは、周方向に等間隔をおいて複数個の磁極片部毎に設けられた各スロット毎に、外周側に薄肉ジョイント部を残して径方向に延在する切り込みによって略扇状に分割され、展開状態で各磁極片部の両側に背中合わせで存在する略コの字形状のスロットに巻線を通して前記磁極片部の周りに巻線を巻かれる分割形連結鉄心による円環状の回転電機用固定子鉄心のためのインシュレータにおいて、前記磁極片部の一方の端部より当該磁極片部を跨ぐようにして磁極片部の外周囲に嵌合し、当該磁極片部の両側のスロットの壁面を電気的に絶縁被覆するコの字形状をなすインシュレータ本体と、展開状態ではＶ形をなし、その両端をそれぞれ隣接する磁極片部に装着された前記インシュレータ本体の外側片部の先端と鉄心との間に挟み込まれることにより係止され、分割形連結鉄心が円環状に閉じられることによって前記スロットの径方向内側へ、隣接する磁極片部の巻線間の相間絶縁が行われる程度延在する相間絶縁シートとを有しているものである。
【００２４】
つぎの発明による回転電機用固定子鉄心のためのインシュレータは、周方向に等間隔をおいて複数個の磁極片部毎に設けられた各スロット毎に、外周側に薄肉ジョイント部を残して径方向に延在する切り込みによって略扇状に分割され、展開状態で各磁極片部の両側に背中合わせで存在する略コの字形状のスロットに巻線を通して前記磁極片部の周りに巻線を巻かれる分割形連結鉄心による円環状の回転電機用固定子鉄心のためのインシュレータにおいて、前記磁極片部の一方の端部より当該磁極片部を跨ぐようにして磁極片部の外周囲に嵌合し、当該磁極片部の両側のスロットの壁面を電気的に絶縁被覆するコの字形状をなすインシュレータ本体と、前記インシュレータ本体が前記スロットの径方向外側の壁面を被覆する外側片部の先端と鉄心との間に一端を挟み込まれることにより係止され、他端を前記インシュレータ本体が前記スロットの径方向内側の壁面を被覆する内側片部の先端と鉄心との間に他端を挟み込まれることにより係止され、隣接する磁極片部の巻線間の相間絶縁を行う相間絶縁シートとを有しているものである。
【００２６】
つぎの発明による回転電機用固定子鉄心のためのインシュレータは、周方向に等間隔をおいて複数個の磁極片部毎に設けられた各スロット毎に、外周側に薄肉ジョイント部を残して径方向に延在する切り込みによって略扇状に分割され、展開状態で各磁極片部の両側に背中合わせで存在する略コの字形状のスロットに巻線を通して前記磁極片部の周りに巻線を巻かれる分割形連結鉄心による円環状の回転電機用固定子鉄心のためのインシュレータにおいて、前記磁極片部の一方の端部より当該磁極片部を跨ぐようにして磁極片部の外周囲に嵌合して当該磁極片部の両側のスロットの壁面を電気的に絶縁被覆するコの字形状をなし、隣接する磁極片部のスロットの径方向外側の壁面をそれぞれ被覆する両側の外側片部の先端のそれぞれに、展開状態では両側の外側片部からそれぞれほぼ一直線状に延在し、その基端部がスロットの径方向内側へ折曲可能であり、かつその先端部が隣接する磁極片部のもの同士で折曲可能に連結されている相間絶縁片が設けられ、かつ前記相間絶縁片は、分割形連結鉄心が円環状に閉じられることによって前記スロットの径方向内側へ延在することを特徴とする。
【００２９】
つぎの発明による回転電機用固定子鉄心のためのインシュレータは、上述の発明によるインシュレータにおいて、前記相間絶縁片は前記外側片部より薄肉であることを特徴としている。
【００３１】
つぎの発明による回転電機用固定子鉄心のためのインシュレータは、周方向に等間隔をおいて複数個の磁極片部毎に設けられた各スロット毎に、外周側に薄肉ジョイント部を残して径方向に延在する切り込みによって略扇状に分割され、展開状態で各磁極片部の両側に背中合わせで存在する略コの字形状のスロットに巻線を通して前記磁極片部の周りに巻線を巻かれる分割形連結鉄心による円環状の回転電機用固定子鉄心のためのインシュレータにおいて、前記磁極片部の一方の端部より当該磁極片部を跨ぐようにして磁極片部の外周囲に嵌合して当該磁極片部の両側のスロットの壁面を電気的に絶縁被覆するコの字形状をなし、隣接する磁極片部のスロットのうちの一方のスロットの径方向外側の壁面を被覆する外側片部の先端にのみ、隣接する磁極片部の巻線間の相間絶縁が行われる程度延在する相間絶縁片が外側片部の先端に対しスロットの径方向内側へ折曲可能に設けられているものである。
【００３３】
【発明の実施の形態】
以下に添付の図を参照してこの発明に係る回転電機用固定子鉄心のためのインシュレータの実施の形態を詳細に説明する。なお、以下に説明するこの発明の実施の形態において、上述の従来例と同一構成の部分は、上述の従来例に付した符号と同一の符号を付してその説明を省略する。
【００３４】
（実施の形態１）
図１〜図４はこの発明によるインシュレータおよびこれを組み込まれた回転電機用固定子鉄心の実施の形態１を示している。
【００３５】
インシュレータ１０は、従来のものと同様に、磁極片部５の一方の端部より磁極片部５を跨ぐようにして磁極片部５の外周囲に嵌合し、磁極片部５の両側にあるスロット２の壁面をそれぞれ電気的に絶縁被覆するコの字形状をなし、各磁極片部５毎に鉄心１に装着される。
【００３６】
インシュレータ１０は一つの磁極片部５の両側にあるスロット２の径方向外側の壁面（コアバック当接面側の壁面）２ａのそれぞれを被覆する外側片部１０ａを両側に有しており、この外側片部１０ａのそれぞれの先端にはスロット２の径方向内側に折り曲がるくびれ先端片部１１が設けられている。このインシュレータ１０は、液晶ポリエステルなど、電気絶縁性と弾性が高い合成樹脂により全体を一体成形されている。
【００３７】
各外側片部１０ａに設けられているくびれ先端片部１１は、スロット２の径方向内側に折り曲り易い形状の薄肉ヒンジ１２によって外側片部１０ａの先端と接続され、図１、図２（ａ）に示されている自由状態（鉄心１の展開状態）においては、外側片部１０ａに対してスロット２の径方向内側に傾斜角θをもって折曲しており、インシュレータ１０が鉄心１に装着された状態で、図３に示されているように、鉄心１が円環状に閉じられることにより、薄肉ヒンジ１２を折り曲げ線としてスロット２の径方向内側に折り曲がり、隣接するインシュレータ１０のものどうしで背中合わせに重なり合う。
【００３８】
ここで、スロット２の径方向内側に折り曲り易い形状の薄肉ヒンジ１２とは、図２に示されているように、スロット２の径方向内側への折曲内側面に設けられた半円状溝による薄肉ヒンジである。
【００３９】
展開状態で、鉄心１に装着されたインシュレータ１０の内側に巻線ノズルＮによって巻き線する時、図２（ｂ）に示されているように、くびれ先端片部１１が、スロット２の径方向内側に出張っても、巻線ノズルＮによって引き回される巻線６の張力によって外側に押され、薄肉ヒンジ１２を支点として復元可能に弾性変形する。これによりくびれ先端片部１１が巻線工程の妨げにはならず、正常な巻線設置が行われる。
【００４０】
図３は巻線が完了した鉄心１を円環状に折り曲げて閉じた状態を示している。くびれ先端片部１１は予め角度θでスロット２の径方向内側に曲がっているため、このくびれ先端片部１１は、鉄心１を円環状に折り曲げる際には、分割面１ａ間に噛み込むことなく、必ず隣接するインシュレータ１０のものどうしで重なり合ってスロット２の径方向内側に、巻線６に沿って折り曲がり、巻線６を囲う形となる。
【００４１】
これにより、外側片部１０ａがスロット２と鉄心１の分割面１ａとの境界部にまで延びていても、外側片部１０ａが分割面１ａ間、すなわちコアバック当接面間に噛み込むことがなく、また、くびれ先端片部１１が鉄心１と巻線６との間の絶縁距離Ｌを確保するバリアの役割を果たすことになり、各スロット２における巻線６の巻数を増やし、各スロット２における巻線６の占積率を向上させて鉄心１を小型化することが可能になり、回転電機の小型化を図ることができるようになる。
【００４２】
（実施の形態２）
図５、図６はこの発明によるインシュレータおよびこれを組み込まれた回転電機用固定子鉄心の実施の形態２を示している。なお、図５、図６に於いて、図１、図３に対応する部分は図１、図３に付した符号と同一の符号を付けてその説明を省略する。
【００４３】
この実施の形態では、各外側片部１０ａに設けられているくびれ先端片部１１は、外側片部１０ａよりスロット２の径方向外側に一段高くなった後に、実施の形態１における場合と同様に、自由状態（鉄心１の展開状態）においては、外側片部１０ａに対してスロット２の径方向内側に傾斜角θをもって折曲している。これにより、くびれ先端片部１１の先端縁は、自由状態において、インシュレータ１０の外側片部１０ａの径方向位置に等しいか、あるいはそれより径方向外側に位置する。
【００４４】
これにより、展開状態で、鉄心１に装着されたインシュレータ１０の内側に巻線ノズルによって巻き線する時に、くびれ先端片部１１と巻線ノズルによって引き回される巻線６とが干渉することがなく、くびれ先端片部１１の存在に拘らず正常な巻線設置が的確に行われる。
【００４５】
なお、このインシュレータが使用される鉄心１の分割面１ａにはスロット２との境界部に段差部１ｂが設けられ、この段差部１ｂにくびれ先端片部１１の段差部１１ａが収容される。
【００４６】
この実施の形態でも、実施の形態１における場合と同様に、インシュレータ１０が鉄心１に装着された状態で、鉄心１が円環状に閉じられると、くびれ先端片部１１は、図６に示されているように、スロット２の径方向内側に折り曲がり、隣接するインシュレータ１０のものどうしで重なり合う。
【００４７】
上述のように、くびれ先端片部１１が予め角度θでスロット２の径方向内側に曲がっているため、このくびれ先端片部１１は、図６に示されているように、鉄心１を円環状に折り曲げる際には、分割面１ａ間に噛み込むことなく隣接するインシュレータ１０のものどうしで重なり合ってスロット２の径方向内側に、巻線６に沿って折り曲がり、巻線６を囲う形となる。
【００４８】
これにより、この実施の形態でも、外側片部１０ａがスロット２と鉄心１の分割面１ａとの境界部にまで延びていても、外側片部１０ａが分割面１ａ間に噛み込むことがなく、また、くびれ先端片部１１が鉄心１と巻線６との間の絶縁距離Ｌを確保するバリアの役割を果たすことになり、スロット２における巻線６の占積率を向上させて鉄心１の小型化により、回転電機の小型化を図ることができるようになる。
【００４９】
なお、くびれ先端片部１１の先端縁を、自由状態において、インシュレータ１０の外側片部１０ａの径方向位置に等しいか、あるいはそれより径方向外側位置に位置させることは、くびれ先端片部１１に段差部１１ａを設けた形状以外に、くびれ先端片部１１を円弧状などの他の適当な形状に設定することによっても可能であり、この場合も、実施の形態２における場合と同等の効果が得られる。
【００５０】
（実施の形態３）
図７、図８はこの発明によるインシュレータおよびこれを組み込まれた回転電機用固定子鉄心の実施の形態３を示している。なお、図７、図８に於いて、図１、図３に対応する部分は図１、図３に付した符号と同一の符号を付けてその説明を省略する。
【００５１】
この実施の形態では、スロット２の径方向外側の壁面２ａを被覆する両側の外側片部１０ａのそれぞれの先端にスロット２の径方向内側に折り曲がる薄肉絶縁シート片１３が溶着されている。
【００５２】
薄肉絶縁シート片１３は、ポリエステルフィルムなどにより構成され、自由状態において、図７（ｂ）に示めされているように、Ｒ形状をもってスロット２の径方向内側に湾曲している。
【００５３】
なお、このインシュレータが使用される鉄心１の分割面１ａにはスロット２との境界部に段差部１ｃが設けられ、段差部１ｃに薄肉絶縁シート片１３の溶着部を含む外側片部１０ａの先端部が収容される。
【００５４】
実施の形態３では、くびれ先端片部１１としてインシュレータ１０とは別体の薄肉絶縁シート片１３を使用しているから、樹脂成形ではむずかしい先端部の薄肉化と弾力性を得ることが可能になり、実施の形態１における場合と同様に、展開状態で、鉄心１に装着されたインシュレータ１０の内側に巻線ノズルによって巻き線する時、薄肉絶縁シート片１３は、スロット２の径方向内側に出張っても、巻線ノズルによって引き回される巻線６の張力によって押され、復元可能に弾性変形するため、巻線工程の妨げにはならず、正常な巻線設置が行われる。
【００５５】
薄肉絶縁シート片１３は、予めスロット２の径方向内側に予め曲率Ｒで曲げられているため、図８に示されているように、鉄心１を円環状に折り曲げる際には、分割面１ａ間に噛み込むことなく隣接するインシュレータ１０のものどうしで重なり合ってスロット２の径方向内側に、巻線６に沿って折り曲がり、巻線６を囲う形となる。
【００５６】
これにより、外側片部１０ａがスロット２と鉄心１の分割面１ａとの境界部まで延ばさずにすむため、外側片部１０ａが分割面１ａ間に噛み込むことがなく、また、薄肉絶縁シート片１３が鉄心１と巻線６との間の絶縁距離Ｌを確保するバリアの役割を果たすことになり、スロット２における巻線６の占積率を向上させて鉄心１の小型化が可能になり、回転電機の小型化を図ることができるようになる。
【００５７】
（実施の形態４）
図９、図１０はこの発明によるインシュレータおよびこれを組み込まれた回転電機用固定子鉄心の実施の形態４を示している。なお、図９、図１０に於いても、図１、図３に対応する部分は図１、図３に付した符号と同一の符号を付けてその説明を省略する。
【００５８】
この実施の形態では、スロット２の径方向外側の壁面２ａを被覆する両側の外側片部１０ａのそれぞれの先端よりスロット２の径方向外側に折曲延在する延長片部１４がインシュレータ１０と一体成形されている。延長片部１４は、鉄心１の分割面１ａに設けられた段差部１ｄに受け入れられ、鉄心１を円環状に閉じる時に寸法干渉を起こさないようになっている。
【００５９】
各外側片部１０ａの延長片部１４は、鉄心１が円環状に閉じられた場合には、図１０に示されているように、隣接するインシュレータ１０のものどうしで、鉄心１の分割面１ａ間で重合し、その重合面部には互い凹凸係合する凹凸部１５が形成されている。
【００６０】
この実施の形態では、外側片部１０ａがスロット２と鉄心１の分割面１ａとの境界部にまで延びていても、これが分割面１ａ間に噛み込むことがなく、また、延長片部１４によって鉄心１と巻線６との間の絶縁距離Ｌが確保されるから、上述の実施の形態における場合と同様に、スロット２における巻線６の占積率を向上させて鉄心１を小型化することが可能になり、回転電機の小型化を図ることができるようになる。
【００６１】
（実施の形態５）
図１１、図１２はこの発明によるインシュレータおよびこれを組み込まれた回転電機用固定子鉄心の実施の形態５を示している。なお、図１１、図１２に於いても、図１、図３に対応する部分は図１、図３に付した符号と同一の符号を付けてその説明を省略する。
【００６２】
この実施の形態では、一方の側のスロット２の径方向外側の壁面２ａを被覆する外側片部１０ａには突出片部１７が設けられ、他方の側のスロット２の径方向外側の壁面２ａを被覆する外側片部１０ａには隣接配置の他のインシュレータ１０の突出片部１７を受け入れる突出片受け入れ段差部１８が設けられている。
【００６３】
このインシュレータでは、鉄心１が、図１２に示されているように、円環状に閉じられると、隣接するインシュレータ１０どうしで、突出片部１７と突出片受け入れ段差部１８とが重合係合する。
【００６４】
この実施の形態では、外側片部１０ａがスロット２と鉄心１の分割面１ａとの境界部にまで延びていても、これが分割面１ａ間に噛み込むことがなく、また、突出片部１７と突出片受け入れ段差部１８との重合係合部によって鉄心１と巻線６との間の絶縁距離Ｌが確保されるから、上述の実施の形態における場合と同様に、スロット２における巻線６の占積率を向上させて鉄心１を小型化することが可能になり、回転電機の小型化を図ることができるようになる。
【００６５】
（実施の形態６）
図１３、図１４はこの発明によるインシュレータおよびこれを組み込まれた回転電機用固定子鉄心の実施の形態６を示している。なお、図１３、図１４に於いても、図１、図３に対応する部分は図１、図３に付した符号と同一の符号を付けてその説明を省略する。
【００６６】
この実施の形態では、インシュレータ（インシュレータ本体）１０の両側の外側片部１０ａのそれぞれの先端に段差が設けられ、鉄心１に対する装着状態で、スロット２の径方向外側壁面２ａとの間に、相間絶縁シート２０の先端部２１を差し込まれる間隙１９が画定されている。
【００６７】
相間絶縁シート２０は、絶縁性の弾性の高い合成樹脂シートにより構成され、自由状態、換言すれば、鉄心１の展開状態では、図１３に示されているように、Ｖ形をなし、両側の先端部２１を、隣接する磁極片部５に取り付けられているインシュレータ１０の外側片部１０ａの先端と鉄心１との間に挟み込まれ、すなわち鉄心分割部を挟んだ一対の間隙１９に差し込まれ、鉄心１に取り付けられている。
【００６８】
相間絶縁シート２０の先端部２１は間隙１９に差し込まれる時に、鉄心分割面１ａにはみ出さない寸法となっている。
【００６９】
相間絶縁紙２０は巻線作業が干渉がなく行われるよう、巻線完了後に、図１３に示されている展開状態で、上述のように鉄心１に取り付けられ、図１４に示されているように、鉄心１の円環形状への折り曲げと共にＶ形挟み角が狭まり、スロット２の径方向内側へ確実に延在して隣接する磁極片部５の巻線６間に存在するようになる。
【００７０】
これにより、インシュレータ１０の外側片部１０ａがスロット２と鉄心１の分割面１ａとの境界部まで延ばさずにすむため、これが分割面１ａ間に噛み込むことがなく、また相間絶縁シート２０によって鉄心１と巻線６との間の絶縁距離を確保できると共に巻線６の相間絶縁も行われ、スロットにおける巻線の占積率を向上できる。
【００７１】
（実施の形態７）
図１５、図１６はこの発明によるインシュレータおよびこれを組み込まれた回転電機用固定子鉄心の実施の形態７を示している。なお、図１５、図１６に於いても、図１、図３に対応する部分は図１、図３に付した符号と同一の符号を付けてその説明を省略する。
【００７２】
この実施の形態では、インシュレータ（インシュレータ本体）１０の一方の外側片部１０の先端に、実施の形態６における場合と同等で、相間絶縁シート２２の一方の折曲先端部２３が差し込まれる間隙１９が画定され、またインシュレータ１０の一方の内側片部１０ｂの先端に段差が設けられ、鉄心１に対する装着状態で、スロット２の径方向内側の壁面（ティース先端側の壁面）２ｂとの間に、相間絶縁シート２２の他方の折曲先端部２３を差し込まれる間隙２４が画定されている。
【００７３】
相間絶縁シート２２は、両端に折曲先端部２３を有してコの字形をしており、、巻線完了後に、図１５に示されている展開状態で、両端の折曲先端部２２を間隙１９、２４に差し込まれることにより、一方の折曲先端部２２を外側片部１０ａの先端と鉄心１との間、他方の折曲先端部２２を内側片部２ｂの先端と鉄心１との間に挟み込まれ、鉄心１に係止されてスロット２を２分割し、図１６に示されているように、鉄心１が円環形状に閉じられることにより、隣接する磁極片部５の巻線６間に存在するようになる。
【００７４】
なお、相間絶縁シート２２の折曲先端部２３はそれぞれ隙間１９、２４に収納したときに鉄心分割面１ａ及びスロット開口部にはみ出さない寸法となっている。
【００７５】
これにより、インシュレータ１０の外側片部１０ａがスロット２と鉄心１の分割面１ａとの境界部まで延ばさずにすむため、これが分割面１ａ間に噛み込むことがなく、また相間絶縁シート２２によって鉄心１と巻線６との間の絶縁距離を確保できると共に巻線６の相間絶縁も行われ、スロットにおける巻線の占積率を向上できる。
【００７６】
（実施の形態８）
図１７、図１８はこの発明によるインシュレータおよびこれを組み込まれた回転電機用固定子鉄心の実施の形態８を示している。なお、図１７、図１８に於いても、図１、図３に対応する部分は図１、図３に付した符号と同一の符号を付けてその説明を省略する。
【００７７】
この実施の形態では、両側のスロット２の径方向外側の壁面２ａをそれぞれ被覆する両側の外側片部１０ａの先端のそれぞれに、薄肉ヒンジ２６によって相間絶縁片２５がスロット２の径方向内側へ折曲可能に設けられ、図１７に示されているように、展開状態では隣接する磁極片部５のものどうしで、相間絶縁片２５の先端が切り離し可能な薄肉ヒンジ２７によって互いに連結され、連結された二つの相間絶縁片２５はＶ形をなしている。
【００７８】
薄肉ヒンジ２６はスロット２の径方向内側の面に設けられたＶ形溝により構成されて相間絶縁片２５の径方向内側への折曲のみを許し、薄肉ヒンジ２７はスロット２の径方向外側の面に設けられたＶ形溝により構成され、連結された二つの相間絶縁片２５によるＶ形挟み角が狭まることにより引張破断する。
【００７９】
この実施の形態で使用されるインシュレータ１０は絶縁性の剛性が高い合成樹脂により全体を成形される。
【００８０】
この実施の形態では、図１７に示されているように、隣接する磁極片部５が互いに９０度の角度を取るように鉄心１が展開された状態では、相間絶縁片２５は外側片部１０ａの一直線状に延在する。これにより相間絶縁片２５と干渉することなくスロット２に対する巻線作業が行われる。
【００８１】
展開状態では、相間絶縁片が外側片部の同一直線上に延在し、隣接する相間絶縁片の先端が切り離し可能に互いに連結されているから、巻線時に巻線ノズルが干渉しないため巻線作業の邪魔になることがない。また、一つの鉄心１において、インシュレータ部材は一つの部品として取り扱われ、部品管理性、組み付け性などが改善される。
【００８２】
図１８に示されているように、鉄心１が円環形状に閉じられることにより、相間絶縁片２５は、薄肉ヒンジ２６を折曲げ線として内側に折り曲がりつつ薄肉ヒンジ２７を中心として連結された二つの相間絶縁片２５によるＶ形挟み角を狭めつつ隣接する磁極片部５の巻線６間に存在するようになる。
【００８３】
これにより、インシュレータ１０の外側片部１０ａがスロット２と鉄心１の分割面１ａとの境界部にまで延びていても、これが分割面１ａ間に噛み込むことがなく、また相間絶縁片２５によって鉄心１と巻線６との間の絶縁距離を確保できると共に巻線６の相間絶縁も行われ、スロットにおける巻線の占積率を向上できる。
【００８４】
なお、鉄心１が円環形状に閉じられるまでは、隣接する二つの相間絶縁片２５はＶ形連結状態でスロット２の分割空間に存在しているから、鉄心１の円環形状への折曲げにより、隣接する磁極片部５の巻線６間に確実に存在するようになり、図１８に示されているように、鉄心１が円環形状に閉じられると、相間絶縁片２５がスロット２の径方向内側へ折曲されることによって薄肉ヒンジ２７に作用する引張力により、薄肉ヒンジ２７が引張破断し、隣接する磁極片部５のものの相間絶縁片２５が切り離される。これにより相間絶縁片２５を含むインシュレータ１０に曲げ応力が作用し続けることが回避され、インシュレータ１０の疲労が軽減される。
【００８５】
（実施の形態９）
図１９、図２０はこの発明によるインシュレータおよびこれを組み込まれた回転電機用固定子鉄心の実施の形態９を示している。なお、図１９、図２０に於いても、図１７、図１８に対応する部分は図１７、図１８に付した符号と同一の符号を付けてその説明を省略する。
【００８６】
この実施の形態は、実施の形態８の変形例であり、相間絶縁片２５が外側片部１０ａより薄肉に構成されている。
【００８７】
相間絶縁片２５と外側片部１０ａとを接続する薄肉ヒンジ２６は、肉厚変化による段落を有し、鉄心内径側に設けられた丸形溝により薄肉ヒンジを構成している。なお、相間絶縁片２５どうしを連結する薄肉ヒンジ２７は実施の形態８における場合と同様に、鉄心外径側に設けられたＶ形溝により構成されている。
【００８８】
この実施の形態では、相間絶縁片２５が外側片部１０ａより薄肉であることにより、分割形連結鉄心１が円環状に閉じられた時に相間絶縁片２５がスロット２の径方向内側へ折曲することが、外側片部１０ａに大きい荷重を与えることなく円滑、かつ確実に行われようになる。
【００８９】
この実施の形態でも、インシュレータ１０の外側片部１０ａがスロット２と鉄心１の分割面１ａとの境界部にまで延びていても、これが分割面１ａ間に噛み込むことがなく、また相間絶縁片２５によって鉄心１と巻線６との間の絶縁距離を確保できると共に巻線６の相間絶縁も行われ、スロットにおける巻線の占積率を向上できる。
【００９０】
（実施の形態１０）
図２１〜図２３はこの発明によるインシュレータおよびこれを組み込まれた回転電機用固定子鉄心の実施の形態１０を示している。なお、図２１〜図２３に於いても、図１、図３に対応する部分は図１、図３に付した符号と同一の符号を付けてその説明を省略する。
【００９１】
この実施の形態では、インシュレータ１０が一方のスロット２の径方向外側の壁面２ａを被覆する外側片部１０ａの先端に、相間絶縁片２８が薄肉ヒンジ２９によってスロット２の径方向内側へ折曲可能に設けられている。このインシュレータ１０にあっては、絶縁性の剛性が高い合成樹脂により全体を成形される薄肉ヒンジ２９がスロット２の径方向内側の面に設けられたＶ形溝により構成されて相間絶縁片２８の径方向内側への折曲のみを許している。
【００９２】
図２１に示されている状態から、巻線ノズルＮにより巻線を開始する際、磁極片部（ティース部）５ｂあるいは５ｃより巻始めると、巻線が左隣の磁極片部に嵌合したインシュレータ１０と干渉する。しかし、最初に磁極片部５ａに巻線を施すと、インシュレータ１０に巻線が干渉しない。その後に、図２２に示されているように、磁極片部５ａの鉄心分割部位置にあるインシュレータ１０の相間絶縁片２８を鉄心内径側に折り曲げ、つぎに磁極片部５ｂの巻線を行うと、巻線のインシュレータ１０への干渉が解消できる。
【００９３】
図２３に示されているように、鉄心１が円環形状に閉じられた状態では、相間絶縁片２８は、薄肉ヒンジ２９を折曲げ線として内側に折り曲げられ、各磁極片部５ａ、５ｂ、５ｃの巻線６間に存在するようになる。
【００９４】
これにより、インシュレータ１０の外側片部１０ａがスロット２と鉄心１の分割面１ａとの境界部にまで延びていても、これが分割面１ａ間に噛み込むことがなく、また相間絶縁片２８によって鉄心１と巻線６との間の絶縁距離を確保できると共に巻線６の相間絶縁も行われ、スロットにおける巻線の占積率を向上できる。
【００９５】
【発明の効果】
以上の説明から理解される如く、この発明による回転電機用固定子鉄心のためのインシュレータによれば、スロットの径方向外側の壁面を被覆する外側片部の先端に、分割形連結鉄心の分割部のスロット側の端部に形成された段差部に係合するようスロットの径方向外側に一段高くなった段差片部と、この段差片部先端からスロットの径方向内側に折り曲がるくびれ先端片部とを設けるようにしたので、くびれ先端片部によって鉄心と巻線との間の絶縁距離を確保できるとともに、巻線ノズルによる巻線時に巻線とくびれ先端片部とが干渉することが回避され、くびれ先端片部の存在に拘らず正常な巻線設置が的確に行われる。
【０１０１】
つぎの発明による回転電機用固定子鉄心のためのインシュレータによれば、展開状態ではＶ形をなして両端を係止され、かつ分割形連結鉄心が円環状に閉じられた時ることによって前記スロットの径方向内側へ隣接する磁極片部の巻線間の相間絶縁が行われる程度延在する相間絶縁シートを設けるようにしたので、隣接する磁極片部の巻線間の絶縁すなわち相間絶縁が確実に行われる。
【０１０２】
つぎの発明による回転電機用固定子鉄心のためのインシュレータによれば、インシュレータ本体と鉄心との間に両端を係止されて隣接する磁極片部の巻線間に存在する相間絶縁シートが設けられていることにより、隣接する磁極片部の巻線間の相間絶縁が確実に行われる。
【０１０３】
つぎの発明による回転電機用固定子鉄心のためのインシュレータによれば、両側の外側片部の先端のそれぞれに、展開状態では両側の外側片部からそれぞれほぼ一直線状に延在し、その先端部が隣接する磁極片部のもの同士で折曲可能に連結されている相間絶縁片を設けるようにしているので、隣接する磁極片部の巻線間の相間絶縁が確実に行われるとともに、巻線工程時に相間絶縁片が揺れ動いて巻線作業の邪魔になることがなく、一つの鉄心において、インシュレータ部材は一つの部品として取り扱われ、部品管理性、組み付け性などが改善される。
【０１０５】
つぎの発明による回転電機用固定子鉄心のためのインシュレータによれば、相間絶縁片が外側片部より薄肉であることにより、分割形連結鉄心が円環状に閉じられた時に相間絶縁片がスロットの径方向内側へ折曲することが、外側片部に大きい荷重を与えることなく円滑、かつ確実に行われようになる。
【０１０６】
つぎの発明による回転電機用固定子鉄心のためのインシュレータによれば、一方のスロットの径方向外側の壁面を被覆する外側片部の先端にのみ、隣接する磁極片部の巻線間の相間絶縁が行われる程度延在する相間絶縁片を設けるようにしたので、隣接する巻線間の相間絶縁が確実に行われる。
【図面の簡単な説明】
【図１】この発明によるインシュレータおよびこれを組み込まれた回転電機用固定子鉄心の実施の形態１を鉄心展開状態について示す断面図である。
【図２】（ａ）は実施の形態１のインシュレータの要部の拡大図、（ｂ）はインシュレータとくびれ先端片部と巻線ノズルとの関係を示す要部の拡大図である。
【図３】この発明によるインシュレータおよびこれを組み込まれた回転電機用固定子鉄心の実施の形態１を鉄心閉じ状態について示す断面図である。
【図４】この発明によるインシュレータおよびこれを組み込まれた回転電機用固定子鉄心の実施の形態１を鉄心閉じ状態について示す断面図である。
【図５】この発明によるインシュレータおよびこれを組み込まれた回転電機用固定子鉄心の実施の形態２を鉄心展開状態について示す断面図である。
【図６】この発明によるインシュレータおよびこれを組み込まれた回転電機用固定子鉄心の実施の形態２を鉄心閉じ状態について示す断面図である。
【図７】（ａ）はこの発明によるインシュレータおよびこれを組み込まれた回転電機用固定子鉄心の実施の形態３を鉄心展開状態について示す断面図、（ｂ）は要部の拡大図である。
【図８】この発明によるインシュレータおよびこれを組み込まれた回転電機用固定子鉄心の実施の形態３を鉄心閉じ状態について示す断面図である。
【図９】この発明によるインシュレータおよびこれを組み込まれた回転電機用固定子鉄心の実施の形態４を鉄心展開状態について示す断面図である。
【図１０】この発明によるインシュレータおよびこれを組み込まれた回転電機用固定子鉄心の実施の形態４を鉄心閉じ状態について示す断面図である。
【図１１】この発明によるインシュレータおよびこれを組み込まれた回転電機用固定子鉄心の実施の形態５を鉄心展開状態について示す断面図である。
【図１２】この発明によるインシュレータおよびこれを組み込まれた回転電機用固定子鉄心の実施の形態５を鉄心閉じ状態について示す断面図である。
【図１３】この発明によるインシュレータおよびこれを組み込まれた回転電機用固定子鉄心の実施の形態６を鉄心展開状態について示す断面図である。
【図１４】この発明によるインシュレータおよびこれを組み込まれた回転電機用固定子鉄心の実施の形態６を鉄心閉じ状態について示す断面図である。
【図１５】この発明によるインシュレータおよびこれを組み込まれた回転電機用固定子鉄心の実施の形態７を鉄心展開状態について示す断面図である。
【図１６】この発明によるインシュレータおよびこれを組み込まれた回転電機用固定子鉄心の実施の形態７を鉄心閉じ状態について示す断面図である。
【図１７】この発明によるインシュレータおよびこれを組み込まれた回転電機用固定子鉄心の実施の形態８を鉄心展開状態について示す断面図である。
【図１８】この発明によるインシュレータおよびこれを組み込まれた回転電機用固定子鉄心の実施の形態８を鉄心閉じ状態について示す断面図である。
【図１９】この発明によるインシュレータおよびこれを組み込まれた回転電機用固定子鉄心の実施の形態９を鉄心展開状態について示す断面図である。
【図２０】この発明によるインシュレータおよびこれを組み込まれた回転電機用固定子鉄心の実施の形態９を鉄心閉じ状態について示す断面図である。
【図２１】この発明によるインシュレータおよびこれを組み込まれた回転電機用固定子鉄心の実施の形態１０を巻線設置前の鉄心展開状態について示す断面図である。
【図２２】この発明によるインシュレータおよびこれを組み込まれた回転電機用固定子鉄心の実施の形態１０を鉄心展開状態について示す断面図である。
【図２３】この発明によるインシュレータおよびこれを組み込まれた回転電機用固定子鉄心の実施の形態１０を鉄心閉じ状態について示す断面図である。
【図２４】従来におけるインシュレータおよびこれを組み込まれた回転電機用固定子鉄心の鉄心展開状態について示す断面図である。
【図２５】従来におけるインシュレータおよびこれを組み込まれた回転電機用固定子鉄心の鉄心閉じ状態について示す断面図である。
【図２６】図２５に示した線Ａ−Ａによる断面図である。
【図２７】従来におけるインシュレータを示す斜視図である。
【符号の説明】
１  分割形連結鉄心、２  スロット、５  磁極片部、６  巻線、２ａ  スロットの径方向外側の壁面、１ａ  鉄心の分割面、１０  インシュレータ、１０ａ  外側片部、１１  くびれ先端片部、１２  薄肉ヒンジ、１３  薄肉絶縁シート片、１４  延長片部、１７  突出片部、１８  突出片受け入れ段差部、２０、２２相間絶縁シート、２５  相間絶縁片、２６、２７  薄肉ヒンジ、２８  相間絶縁片、２９  薄肉ヒンジ。
【図１】
0003553756.tif 000002
【図２】
0003553756.tif 000003
【図３】
0003553756.tif 000004
【図４】
0003553756.tif 000005
【図５】
0003553756.tif 000006
【図６】
0003553756.tif 000007
【図７】
0003553756.tif 000008
【図８】
0003553756.tif 000009
【図９】
0003553756.tif 000010
【図１０】
0003553756.tif 000011
【図１１】
0003553756.tif 000012
【図１２】
0003553756.tif 000013
【図１３】
0003553756.tif 000014
【図１４】
0003553756.tif 000015
【図１５】
0003553756.tif 000016
【図１６】
0003553756.tif 000017
【図１７】
0003553756.tif 000018
【図１８】
0003553756.tif 000019
【図１９】
0003553756.tif 000020
【図２０】
0003553756.tif 000021
【図２１】
0003553756.tif 000022
【図２２】
0003553756.tif 000023
【図２３】
0003553756.tif 000024
【図２４】
0003553756.tif 000025
【図２５】
0003553756.tif 000026
【図２６】
0003553756.tif 000027
【図２７】
0003553756.tif 000028